(57)【要約】【課題】ＲＦＩＤ機能を使用して、不正開封されたことを検知可能であり、且つ外部からの攻撃を受け難いＲＦＩＤ機能を備えたキャップを提供することを課題とする。【解決手段】タンパーエビデントキャップ８と、ＩＣチップ２とアンテナ１とからなるＲＦＩＤタグ５と、を備えており、タンパーエビデントキャップは、開封した後に樹脂ボトル側に残留するタンパー箇所３と、樹脂ボトルから離間するタンパーエビデントキャップ本体６と、を備えており、ＲＦＩＤタグは、タンパーエビデントキャップの内側または内部に備えられており、且つＩＣチップのアンテナが接続された端子とは別の端子に接続された閉回路７が、タンパー箇所とタンパーエビデントキャップ本体とに跨った閉回路であり、ＩＣチップは、閉回路が断線したことを検知可能であることを特徴とするＲＦＩＤ機能を備えたタンパーエビデントキャップ１０。【選択図】図１
2017190138.tif 000002
【特許請求の範囲】
【請求項１】
ＲＦＩＤ機能を備えたタンパーエビデントキャップであって、
タンパーエビデントキャップと、ＩＣチップとアンテナとからなるＲＦＩＤタグと、を備えており、
タンパーエビデントキャップは、開封した後に樹脂ボトル側に残留するタンパー箇所と、樹脂ボトルから離間するタンパーエビデントキャップ本体と、を備えており、
ＲＦＩＤタグは、タンパーエビデントキャップの内側または内部に備えられており、且つＩＣチップのアンテナが接続された端子とは別の端子に接続された閉回路が、タンパー箇所とタンパーエビデントキャップ本体とに跨った閉回路であり、
ＩＣチップは、閉回路が断線したことを検知可能であることを特徴とするＲＦＩＤ機能を備えたタンパーエビデントキャップ。
【請求項２】
ＲＦＩＤ機能を備えたタンパーエビデントキャップであって、
タンパーエビデントキャップと、ＩＣチップとアンテナとからなるＲＦＩＤタグと、を備えており、
タンパーエビデントキャップは、開封した後に樹脂ボトル側に残留するタンパー箇所と、樹脂ボトルから離間するタンパーエビデントキャップ本体と、を備えており、
ＲＦＩＤタグは、タンパーエビデントキャップの内側または内部に備えられており、ＩＣチップとアンテナを接続する閉回路の一部がタンパー箇所とタンパーエビデントキャップ本体とに跨って備えられていることを特徴とするＲＦＩＤ機能を備えたタンパーエビデントキャップ。
【請求項３】
ＩＣチップとアンテナとを備えたＲＦＩＤタグであって、
ＩＣチップは、アンテナと接続する端子と、閉回路と接続する端子と、を備えており、
閉回路が断線したことを外部装置が検知可能であることを特徴とするＲＦＩＤタグ。
【発明の詳細な説明】
【技術分野】
【０００１】
本発明は、ペットボトルなどの容器のキャップが、不正に開封されたことを検知するための開封検知ＲＦＩＤキャップに関する。
【背景技術】
【０００２】
飲料用のペットボトルなどが、不正に開封され、例えば有害な物質を混入するなどの悪意ある行為が行われても、それを検知可能とすることで事故を未然に防止するために、当初、封印シールにより開封部や開栓部を封印することが行われていた。しかしながら単に粘着シールを貼り付けて封印する場合、溶剤などにより巧妙に粘着剤を溶かして剥離し、不正に開封されてしまっても、開封されたことを検知することは困難であった。更に封印性を高めるため、剥がすと壊れてしまう脆性シールを使用した封印シールを使用するようになったが、依然として不正開封を検知できない虞がある状況が続いている。
【０００３】
一方、樹脂ボトルのキャップの不正開封を検知可能な技術として、タンパーエビデント性があるキャップ（以後、タンパーエビデントキャップと称する。）が知られている。これは、樹脂ボトルを開封するためにキャップを回転して開封すると、樹脂ボトルとキャップを係合する部位が切断され、不可逆的な変化をもたらすことにより検知可能とするものである。このタンパーエビデントキャップにより、不正開封された事を目視により確実に検知可能となった。
【０００４】
また、物流管理の効率化のため、樹脂ボトルのキャップにＲＦＩＤを導入する技術開発が進んでいる。
例えば特許文献１には、キャップを廃棄する際にＩＣタグのキャップからの取り外しを容易に行うことが可能なＩＣタグ付キャップを提供するため、頂板部及びスカート部から成り、該頂板部中央に開口が形成されたキャップシェル、該キャップシェル頂板部の開口を覆うように、キャップシェル内面に組み合わされるシール材、及び製品情報が記憶されたＩＣタグから成るＩＣタグ付キャップにおいて、前記ＩＣタグが、キャップシェル頂板部内面及びシール材上面で保持され、キャップを容器口部から取外した後、シール材をキャップシェル開口から押圧してキャップシェルと分離することにより、ＩＣタグのキャップからの取外しが可能であることを特徴とするＩＣタグ付キャップが開示されている。
【０００５】
また特許文献２には、ＯＶＤとＲＦＩＤラベルの一体化において、ＯＶＤの光学的な効果による装飾性や意匠性の向上の効果と光学情報の記録の機能などを制限することがなく、ＲＦＩＤラベルを被着体から剥がそうとした際にラベル基材が容易に破壊して再使用することができないＲＦＩＤラベルを提供するため、非接触で外部装置とデータの送受信を行うＲＦＩＤラベルであって、ラベル基材上に設けられたアンテナとして機能する導電層と、前記アンテナに接合されたＩＣチップと、更にＲＦＩＤラベルを被着体に貼付けるための接着層を配置して成るＲＦＩＤラベルにおいて、前記接着層と反対面のラベル基材上に目視で光学的な効果を呈するＯＶＤ機能層が設けられ、前記ラベル基材の厚みが５μｍ以上２０μｍ以下で、かつ前記ラベル基材の、接着層と接するラベル裏面に、深さがラベル基材の厚みの３分の１以上で、かつ平面方向に３００μｍ以下の間隔でハーフカットが形成され、前記ハーフカットのアスペクト比（深さ方向の長さ／平面方向の長さで除した値）が３００／１．７以上であり、前記ＯＶＤ機能層の金属薄膜層は格子状に１０μｍ以下のラインで切り込みが形成され、導電性を示さないことを特徴とする脆性ＲＦＩＤラベルが開示されている。
【０００６】
また特許文献３には、安価に製造可能であり、曲面にも貼り付け可能な金属表面貼り付
け用のＲＦＩＤ粘着ラベルを得ると共に、剥離時に破壊されるＲＦＩＤ粘着ラベルを得るため、基材シートとインレイからなるＲＦＩＤ粘着ラベルであって、前記基材シートは少なくともインレイ固着領域と粘着領域を有し、前記インレイ固着領域に前記インレイを固着し、前記粘着領域は前記インレイ固着領域を基準として前記インレイの一の輪郭線の外側に配置され、前記粘着領域の一方表面に粘着剤層を形成したＲＦＩＤ粘着ラベルが開示されている。
【０００７】
しかしながら、特許文献１に記載の技術は、キャップからＲＦＩＤチップを取り出し易くして再利用し易い技術であるが、不正開封を検知可能とする技術ではない。また特許文献２と３に記載の技術は、キャップと樹脂ボトルの両方に跨って貼り付けることにより、封印することができるＲＦＩＤラベルである。これらのラベルは粘着剤によって樹脂ボトルとキャップの外側に貼り付けた形態で使用するため、外部からの攻撃、例えば溶剤などにより、巧妙に剥離し、再び貼着されてしまう虞が拭い去れない。そのため、不正開封されたことを確実に検知できる技術であるとは言えない。
【０００８】
以上の様な事情から、確実に不正開封されたことを検知可能であり、外部からの攻撃を受け難く、且つＲＦＩＤ機能を備えたキャップが待望されている。また、不正開封されたことを、ＲＦＩＤ機能を使用して検知可能であるキャップが待望されている。そのため、そのようなことを実現可能な先行技術について調査したが、見出す事はできなかった。
【先行技術文献】
【特許文献】
【０００９】
【特許文献１】特許第４９４２４４０号公報
【特許文献２】特許第５８６２０３７号公報
【特許文献３】特開２００６−２２７６７０号公報
【発明の概要】
【発明が解決しようとする課題】
【００１０】
上記の事情に鑑み、本発明は、ＲＦＩＤ機能を備えたキャップであって、そのＲＦＩＤ機能を使用しても、確実に不正開封されたことを検知可能であり、且つ外部からの攻撃を受け難いＲＦＩＤ機能を備えたキャップを提供することを課題とする。
【課題を解決するための手段】
【００１１】
上記の課題を解決する手段として、本発明の請求項１に記載の発明は、ＲＦＩＤ機能を備えたタンパーエビデントキャップであって、
タンパーエビデントキャップと、ＩＣチップとアンテナとからなるＲＦＩＤタグと、を備えており、
タンパーエビデントキャップは、開封した後に樹脂ボトル側に残留するタンパー箇所と、樹脂ボトルから離間するタンパーエビデントキャップ本体と、を備えており、
ＲＦＩＤタグは、タンパーエビデントキャップの内側に備えられており、且つＩＣチップのアンテナが接続された端子とは別の端子に接続された閉回路が、タンパー箇所とタンパーエビデントキャップ本体とに跨った閉回路であり、
ＩＣチップは、閉回路が断線したことを検知可能であることを特徴とするＲＦＩＤ機能を備えたタンパーエビデントキャップである。
【００１２】
また、請求項２に記載の発明は、ＲＦＩＤ機能を備えたタンパーエビデントキャップであって、
タンパーエビデントキャップと、ＩＣチップとアンテナとからなるＲＦＩＤタグと、を備えており、
タンパーエビデントキャップは、開封した後に樹脂ボトル側に残留するタンパー箇所と
、樹脂ボトルから離間するタンパーエビデントキャップ本体と、を備えており、
ＲＦＩＤタグは、タンパーエビデントキャップの内側または内部に備えられており、ＩＣチップとアンテナを接続する閉回路の一部がタンパー箇所とタンパーエビデントキャップ本体とに跨って備えられていることを特徴とするＲＦＩＤ機能を備えたタンパーエビデントキャップである。
【００１３】
また請求項３に記載の発明は、ＩＣチップとアンテナとを備えたＲＦＩＤタグであって、
ＩＣチップは、アンテナと接続する端子と、閉回路と接続する端子と、を備えており、
閉回路が断線したことを外部装置が検知可能であることを特徴とするＲＦＩＤタグである。
【発明の効果】
【００１４】
本発明のＲＦＩＤ機能を備えたタンパーエビデントキャップによれば、タンパーエビデントキャップを反時計方向または時計方向に回転することによってタンパーエビデントキャップのタンパー箇所（開封箇所と同一箇所）で樹脂ボトルから切り離されることで、タンパーエビデントキャップの内側に備えられたＲＦＩＤタグのＩＣチップに接続された閉回路が切断されるため、またはＲＦＩＤタグが通信不能となるため、ＲＦＩＤタグのリーダによって開封されたことを検知可能である。また、外観を視認することによっても開封されたことを検知可能である。
【００１５】
またＲＦＩＤ機能を備えたタンパーエビデントキャップによれば、タンパーエビデントキャップの内側に備えられたＲＦＩＤタグによって、非接触でＲＦＩＤタグに記録された情報を読み取ることが可能であり、その情報を使用して流通管理を効率的に行う事が可能となる。
【００１６】
また、本発明のＲＦＩＤタグによれば、アンテナが接続されたＩＣチップの端子とは別の端子に閉回路が備えられており、その閉回路が切断したことを検知可能なＲＦＩＤタグであるため、本発明のＲＦＩＤ機能を備えたタンパーエビデントキャップが開封されたことを検知可能とすることができる。
【図面の簡単な説明】
【００１７】
【図１】本発明のキャップの構成の一例および機能を説明する概略説明図であって、（ａ）は樹脂ボトルとキャップがタンパー箇所で切断される前の状態、（ｂ）はタンパー箇所で切断された状態、を示している。
【発明を実施するための形態】
【００１８】
＜ＲＦＩＤ機能を備えたタンパーエビデントキャップ＞
本発明のＲＦＩＤ機能を備えたタンパーエビデントキャップを、図１を用いて説明する。
本発明のＲＦＩＤ機能を備えたタンパーエビデントキャップ１０は、図１（ａ）に例示したように、タンパーエビデントキャップ８と、ＩＣチップ２とアンテナ１とからなるＲＦＩＤタグ５と、を備えている。
【００１９】
タンパーエビデントキャップ８は、開封した後に樹脂ボトル側に残留するタンパー箇所３と、樹脂ボトルから離間するタンパーエビデントキャップ本体６と、を備えている。
【００２０】
ＲＦＩＤタグ５は、タンパーエビデントキャップ８の内側または内部に備えられており、且つＩＣチップ２のアンテナ１が接続された端子とは別の端子に接続された閉回路７が、タンパー箇所３とタンパーエビデントキャップ本体６とに跨って形成された閉回路であり、ＩＣチップ２は、閉回路７が断線したことを検知可能である。
【００２１】
この様な構成であるため、図１（ｂ）に例示したように、本発明のＲＦＩＤ機能を備えたタンパーエビデントキャップ１０を反時計回りか、その逆の時計回りに回転させることにより、そのキャップが備えられていた樹脂ボトルなどからタンパーエビデントキャップ本体６を離間すると、タンパー箇所３とタンパーエビデントキャップ本体６とに跨って形成された閉回路７が断線する。
【００２２】
閉回路７が断線すると、ＩＣチップ２が断線を検知する。この時、ＲＦＩＤタグ５の機能は、何ら損傷を受けておらず、正常に外部装置との通信が可能な状態である。ＩＣチップ２が閉回路７の断線を検知すると、例えば、断線したことを知らせる信号を読取り装置などの外部装置に送信することが可能である。断線は、タンパーエビデントキャップ８が開封されたことを意味するので、不正開封された可能性があることを知らせることができる。
【００２３】
また、本発明の他の実施形態として、ＩＣチップに、アンテナとは別に閉回路を接続するための端子を備え、その閉回路の断線を検知することが可能なＩＣチップではなく、アンテナを接続する端子しか備えていないＩＣチップを使用することも可能である。その場合は、タンパー箇所３とタンパーエビデントキャップ本体６とに跨って形成された閉回路７の代わりに、ＩＣチップ２とアンテナ１を接続する配線パターンが、タンパー箇所３とタンパーエビデントキャップ本体６とに跨って形成されていれば良い。
【００２４】
この場合は、当該物品と読取り装置などの外部装置が読み取れないことを検知することにより、不正開封されたことを検知することができる。
【００２５】
＜ＲＦＩＤタグ＞
次に、本発明のＲＦＩＤタグについて、図１を用いて説明する。
本発明のＲＦＩＤタグ５は、ＩＣチップ２とアンテナ１とを備えたＲＦＩＤタグであって、ＩＣチップ２は、アンテナ１と接続する端子と、閉回路７と接続する端子と、を備えており、閉回路７が断線したことを外部装置が検知可能である。
【００２６】
例えば、本発明のＲＦＩＤタグ５に使用するＩＣチップ２には、アンテナ１を接続するための２つの端子と閉回路７を接続するための２つの端子が備えられていれば良い。閉回路７としては、例えば、単なる導電パターンで良く、それらの端子を短絡しておくのが最も単純である。しかしながらこの場合は、不正に開封した者が、断線した閉回路の部分に、例えば導電性インキを塗布して短絡させることが可能である。
【００２７】
閉回路７の抵抗値を予め設定した値の範囲にして置くことで、この欠点を解消することが可能となる。断線した部位を導電性インキで埋めただけでは実現しない抵抗値を選択することにより、欠点を解消することができる。例えば、ＩＣチップ２の閉回路７を接続する端子間を、１Ω±５％〜１００ＫΩ±５％程度の抵抗値を持つ配線パターンで閉回路７を形成しておけば良い。
【００２８】
タンパーエビデントキャップ８を開封すると、閉回路７が断線するが、断線によって数十％程度の長さの配線が失われるため、その長さの配線を導電性インキを塗布しても、元の抵抗値に合わせることは容易ではない。
【００２９】
また、ＲＦＩＤタグ５が備えられている部位を、タンパーエビデントキャップ８の内側であるが、その表面を絶縁性の材料で被覆しておき、容易に閉回路７の修復ができないようにしておくことも効果的である。或いは、ＲＦＩＤタグ５が備えられている部位を、タ
ンパーエビデントキャップ８の内部に埋設して置くことにより、不正開封した者が、断線した閉回路７を修復して元の正常な状態に戻すことは不可能となる。
【符号の説明】
【００３０】
１・・・アンテナ
２・・・ＩＣチップ
３・・・タンパー箇所
４・・・開封箇所
５・・・ＲＦＩＤタグ
６・・・タンパーエビデントキャップ本体
７・・・閉回路
８・・・タンパーエビデントキャップ
１０・・・ＲＦＩＤ機能を備えたタンパーエビデントキャップ
【図１】
2017190138.tif 000003